(57)【要約】【課題】トラッキングオフ状態で光ディスクの種類を高速に判別する。【解決手段】光ディスク１０１の情報記録層１０１ａ上にレーザ光を射出する半導体レーザ１０５と、情報記録層で反射されたレーザ光から検出信号を出力する光検出器１０９と、検出信号に基づいてトラッキングエラー信号を検出するトラッキング検出部１１８と、検出信号に基づいてウォブル信号を出力するウォブル検出部１１６と、ウォブル検出部より出力されたウォブル信号を整流し、平滑化処理してウォブルエンベロープ信号を出力するウォブルエンベロープ信号検出部１１７と、ウォブルエンベロープ信号とトラッキングエラー信号の極性に基づいて、光ディスクのグルーブがレーザ光の入射面からみて凸状か凹状かを判定し、この判定結果に基づいて、トラッキング制御を行う制御部１２５とを備える。【選択図】図１
2011187147.tif 000002
【特許請求の範囲】
【請求項１】
光ディスクの情報記録層上にレーザ光を射出する半導体レーザと、
前記光ディスクの情報記録層で反射されたレーザ光を受光して得られる光信号を光電変換して検出信号を出力する光検出器と、
前記光検出器より出力される検出信号に基づいて、トラッキングエラー信号を検出するトラッキング検出部と、
前記光検出器より出力される検出信号に基づいて、ウォブル信号を出力するウォブル検出部と、
前記ウォブル検出部より出力されたウォブル信号に基づいたウォブルエンベロープ信号を出力するウォブルエンベロープ信号検出部と、
前記ウォブルエンベロープ信号と前記トラッキングエラー信号とに基づいて、前記光ディスクにおける情報が記録されるグルーブの形状が前記レーザ光の前記光ディスクに対する入射面側からみて凸状であるか凹状であるかを判定し、この判定結果に基づいて、前記光ディスクのトラックに対するトラッキング制御を行う制御部と
を備えることを特徴とする光ディスク装置。
【請求項２】
対物レンズと、
前記制御部が、前記グルーブの形状が前記レーザ光の前記光ディスクに対する入射面側からみて凸状であるか凹状であるかを判定する際に、前記対物レンズを前記光ディスクに対して相対的に、前記光ディスクの外周側または内周側に移動させるレンズ移動部と
を備えることを特徴とする請求項１記載の光ディスク装置。
【発明の詳細な説明】
【技術分野】
【０００１】
本発明は、データを記録再生する光ディスクの種類を判別する光ディスク装置に関する。
【背景技術】
【０００２】
光ディスクの一種であるブルーレイディスク（ＢＤ：Bru-ray Disc）へのデータの記録の方式には、ＢＤ−ＲＥ（Bru-ray Disc Rewritable）やＢＤ−Ｒ（Bru-ray Disc Recodable）に用いられているオングルーブ記録とＢＤ−Ｒ  ＬＴＨ（Low to High）に用いられているイングルーブ記録とがある。すなわち、ＢＤ−Ｒ  ＬＴＨのみがイングルーブ記録であり、オングルーブ記録とイングルーブ記録ではトラッキング極性が異なる。そのため、光ディスクの記録再生装置では、起動時にトラッキング極性をオングルーブ記録と仮定してトラッキングをかけてＰＩＣ（Permanent Information & Control data）領域の情報を読み、データが読めた場合には仮定したトラッキング極性（オングルーブ記録）に設定し、データが読めない場合には逆のトラッキング極性（イングルーブ記録）でトラッキング制御するというトライアンドエラー方式を採用していた。したがって、光ディスク装置で記録又は再生される光ディスクの種類がＢＤ−Ｒ  ＬＴＨである場合、オングルーブ記録の光ディスクと比較して起動時間が余分に必要となっていた。
【０００３】
一方、光ディスクの種類の判別方法としては、光ディスク装置で光ディスクの種類を判別させるため、光ディスクに判別領域を設ける技術がある（例えば、特許文献１参照）。
【０００４】
また、別の光ディスクの種類の判別方法としては、トラッキングをオンにして、すなわちトラッキングサーボをかけてウォブル信号からディジタルデータを再生し、アドレスのエラー数に基づいて、光ディスクの溝が刻まれているグルーブあるいは溝が刻まれていないランドのどちらにトラッキングサーボをかけるかを判別することにより光ディスクの種類を判別する技術がある（例えば、特許文献２参照）。
【先行技術文献】
【特許文献】
【０００５】
【特許文献１】国際公開第０６／０４３３５６号パンフレット
【特許文献２】特開２００８−１４６７２５号公報
【発明の概要】
【発明が解決しようとする課題】
【０００６】
しかしながら、上記した特許文献１に記載の技術では、光ディスクの種類を判別するための判別領域を光ディスク上に新たに設けるため、通常のＢＤには適用することができない問題があった。
【０００７】
また、特許文献２に記載の技術では、グルーブ及びランドにトラッキングサーボをかけてから、グルーブまたはランドのどちらにトラッキングサーボをかけるかを判別するため、トラッキングサーボをかけるまではディスクの種類を判別することができない問題があった。
【０００８】
本発明は、上記課題に鑑み、トラッキングオフ状態で光ディスクの種類を高速に判別する光ディスク装置を提供する。
【課題を解決するための手段】
【０００９】
本発明の特徴に係る光ディスク装置は、光ディスクの情報記録層上にレーザ光を射出する半導体レーザ（１０５）と、前記光ディスクの情報記録層で反射されたレーザ光を受光して得られる光信号を光電変換して検出信号を出力する光検出器（１０９）と、前記光検出器より出力される検出信号に基づいて、トラッキングエラー信号を検出するトラッキング検出部（１１８）と、前記光検出器より出力される検出信号に基づいてウォブル信号を出力するウォブル検出部（１１６）と、前記ウォブル検出部より出力されたウォブル信号に基づいたウォブルエンベロープ信号を出力するウォブルエンベロープ信号検出部（１１７）と、前記ウォブルエンベロープ信号と前記トラッキングエラー信号とに基づいて、前記光ディスクにおける情報が記録されるグルーブの形状が前記レーザ光の前記光ディスクに対する入射面側からみて凸状であるか凹状であるかを判定し、この判定結果に基づいて、前記光ディスクのトラックに対するトラッキング制御を行う制御部（１２５）とを備える。
【発明の効果】
【００１０】
本発明によれば、光ディスクの種類を判別するための判別領域を設ける必要がなく、また、トラッキングサーボをかけることなく光ディスクの種類を高速に判別することができる。
【図面の簡単な説明】
【００１１】
【図１】本発明の実施形態に係る光ディスク装置の構成を説明する概略図である。
【図２】図１の光ディスク装置の光検出器の構成を説明する概略図である。
【図３】図１の光ディスク装置で光ディスクの種別の判定に利用する信号の波形について説明する図である。
【図４】図１の光ディスク装置における光ディスクの種別の判定処理を説明するフローチャートである。
【発明を実施するための形態】
【００１２】
図１は、本発明の実施形態に係る光ディスク装置１０の構成を示す概略図である。光ディスク装置１０は、記録媒体である光ディスク１０１の情報記録層１０１ａにデータを記録し、また、情報記録層１０１ａに記録されているデータを再生する。なお、光ディスク１０１は、光ディスク装置１０に含まれない。また、光ディスク装置１０が記録再生装置である例を用いて説明するが、光ディスク装置１０は再生装置であってもよいし、記録装置であってもよい。
【００１３】
光ディスク装置１０は、光ディスク１０１ａにデータを記録し、又は光ディスク１０１ａに記録されているデータを再生するため、レーザ光を射出する半導体レーザ１０５と、このレーザ光を平行光に変換するコリメートレンズ１０６と、平行光束上に設けられるハーフミラー１０７と、ハーフミラー１０７で反射された平行光を光ディスク１０１の情報記録層１０１ａ上に集光する対物レンズ１０２と、対物レンズ１０２を支持するとともに、対物レンズ１０２を光ディスク１０１のトラックに対する半径方向及び光軸方向に動かすアクチュエータ１０３とを備えている。
【００１４】
また、光ディスク装置１０は、入力端子（図示せず）を介して外部から入力されるディジタル映像音声データやコンピュータデータを、制御部１２５から出力される記録の制御信号に基づいて、記録データとして出力する信号処理回路１１２と、信号処理回路１１２により入力される記録データを光ディスク１０１の情報記録層１０１ａに記録するように半導体レーザ１０５を駆動する駆動電流を出力するレーザ駆動回路１１１とを備えている。また、この信号処理回路１１２は、制御部１２５から出力される再生の制御信号が入力されると、レーザ駆動回路１１１に対して、光ディスク１０１の情報記録層１０１ａを再生するように半導体レーザ１０５を駆動する駆動電流を出力するよう制御する。
【００１５】
さらに、光ディスク装置１０は、光ディスク１０１の情報記録層１０１ａに記録されているデータを再生するため、光ディスク１０１の情報記録層１０１ａから反射され、対物レンズ１０２及びハーフミラー１０７を透過した光を適当なスポット径の光に収束する収束レンズ１０８と、収束された光を受光して得られる光信号を光電変換して検出信号を出力する光検出器１０９を備えている。
【００１６】
図２は、光検出器１０９の構成を示す概略図である。光検出器１０９は、光ディスク１０１のトラック方向に平行に２分割して形成され、２つの受光領域１０９Ａ，１０９Ｂを具備している。この２つの受光領域１０９Ａ，１０９Ｂで得られる光信号を光電変換してそれぞれ検出信号ＳＡ，ＳＢを差動アンプ１１５に出力する。なお、光検出器１０９は、図２に示す例に限定されるものではなく、例えば、トラック方向に平行な分割線と、トラック方向に垂直な分割線とを有し、４つの受光領域を備える構成でもよい。また、３ビーム法に対応して、３つの受光部を備え、各受光部がトラック方向に平行な分割線や、トラック方向に垂直な分割線で適宜分割された構成でもよい。半導体レーザ１０５、コリメートレンズ１０６、ハーフミラー１０７、対物レンズ１０２、収束レンズ１０８、光検出器１０９及びアクチュエータ１０３は、ヘッドベース（図示せず）に取り付けられ、光ヘッド１０４を構成している。また、光ヘッド１０４は、トラバース１２３に取り付けられ、制御部１２５からの制御信号をトラバース駆動回路１２４でトラバース１２３にあるトラバースモータを駆動することで光ディスク１０１の半径方向に移動可能である。
【００１７】
さらに、光ディスク装置１０は、光検出器１０９の受光部１０９Ａ，１０９Ｂが出力する検出信号ＳＡ，ＳＢが入力され、検出信号ＳＡ，ＳＢの差信号（ＳＡ−ＳＢ）を求める差動アンプ１１５と、差動アンプ１１５により求められた差信号が入力され、トラッキングエラー信号Ｓ１として出力するトラッキング検出部１１８と、トラッキング検出部１１８により出力されたトラッキングエラー信号Ｓ１が入力されるとともに、制御部１２５により出力された制御信号が入力され、トラッキング極性信号Ｓ５を生成するトラッキング極性回路１１９とを備えている。また、光ディスク装置１０は、トラッキング極性回路１１９により生成されたトラッキング極性信号Ｓ５が入力され、トラッキング制御信号を生成するトラッキング制御回路１２１と、トラッキング駆動回路１２２およびアクチュエータ１０３を介して対物レンズ１０２を半径方向に駆動するためのコントロール電圧（制御信号）Ｓ４を出力するレンズシフト回路１２０と、トラッキング制御回路１２１から出力されるトラッキング制御信号と、レンズシフト回路１２０から出力されるコントロール電圧Ｓ４を切り替えて、アクチュエータ１０３に駆動電流を出力するトラッキング駆動回路１２２とを備えている。
【００１８】
また、光ディスク装置１０は、差動アンプ１１５から出力される差信号（ＳＡ−ＳＢ）が入力されると、光ディスク１０１の情報記録層１０１ａ上のグルーブのウォブルによって記録された制御情報やアドレス情報等を再生し、ウォブル信号Ｓ２を出力するウォブル検出部１１６と、ウォブル検出部１１６で検出されたウォブル信号Ｓ２を整流器（図示せず）により整流し、ローパスフィルタ（図示せず）によって平滑化処理を行って、ウォブルエンベロープ信号Ｓ３として制御部１２５に出力するウォブルエンベロープ検出部１１７とを備えている。なお、ウォブル検出部１１６に入力される信号は、差信号（ＳＡ−ＳＢ）に変えてトラッキング検出部１１８で検出されたトラッキング信号Ｓ１でもよい。また、トラッキング極性判定回路１１０は、ウォブル検出部１１６、ウォブルエンベロープ検出部１１７、トラッキング検出部１１８、トラッキング極性回路１１９及びレンズシフト回路１２０により構成される。さらに、光ディスク装置１０は、光検出器１０９の受光部１０９Ａ，１０９Ｂが出力する検出信号ＳＡ，ＳＢを入力して和信号（ＳＡ＋ＳＢ）を求める加算アンプ１１３と、加算アンプ１１３により求められた和信号（ＳＡ＋ＳＢ）が入力され、光ディスク１０１の情報記録層１０１ａに記録されたデータを再生し、復調や誤り訂正等の処理を施した後、ディジタル映像音声データやコンピュータデータとして、出力端子（図示せず）を介して外部に出力する再生信号検出部１１４とを備えている。
【００１９】
［再生動作］
上述したように構成される光ディスク装置１０の再生の動作について説明する。再生時には、まず、スピンドルモータ（図示せず）が、光ディスク１０１を一定の角速度または線速度で回転させる。制御部１２５は、制御信号をトラバース駆動回路１２４に入力して、トラバース駆動回路１２４はトラバース１２３にあるトラバースモータを駆動して、光ヘッド１０４を光ディスク１０１の所定領域に移動させるとともに信号処理回路１１２を介してレーザ駆動回路１１１に再生の制御信号を出力するように制御する。これにより、レーザ駆動回路１１１は、再生モードとなり、半導体レーザ１０５に駆動電流を出力して光ディスク１０１の情報記録層１０１ａに変化を起こさない一定の強度で半導体レーザ１０５を発光させる。
【００２０】
次に、半導体レーザ１０５の焦点方向（フォーカス方向）の位置制御が制御部１２５により行なわれるが、非点収差法等の公知技術によりフォーカス制御が行われるため説明は省略する。
【００２１】
制御部１２５は、フォーカス制御により、光ディスク１０１の情報記録層１０１ａにレーザ光の焦点を合わせる。その後、半導体レーザ１０５から射出されたレーザ光は、コリメートレンズ１０６によって平行光に変換され、ハーフミラー１０７を反射して、対物レンズ１０２により光ディスク１０１の情報記録層１０１ａ上に集光される。光ディスク１０１の情報記録層１０１ａで反射されたレーザ光は、回折（反射光量の分布）によって情報トラック上の情報（情報信号）が与えられた後、対物レンズ１０２、ハーフミラー１０７、収束レンズ１０８を透過して光検出器１０９に導かれる。
【００２２】
光検出器１０９の受光部１０９Ａ，１０９Ｂは、入射した光ビームの光量分布の変化（光信号）を電気信号に変換し、差動アンプ１１５及び加算アンプ１１３に出力する。差動アンプ１１５は、入力された受光部１０９Ａ，１０９Ｂの検出信号ＳＡ，ＳＢの差動を求めて差信号（ＳＡ−ＳＢ）として、トラッキング検出部１１８とウォブル検出部１１６に出力する。
【００２３】
トラッキング検出部１１８は、差動アンプ１５より出力された差信号（ＳＡ−ＳＢ）の低周波成分を抜き出し、トラッキングエラー信号Ｓ１としてトラッキング極性回路１１９と制御部１２５に出力する。また、ウォブル検出部１１６は、差動アンプ１５より出力された差信号（ＳＡ−ＳＢ）からウォブル信号Ｓ２を抜き出す。さらに、ウォブルエンベロープ部１１７は、ウォブル信号Ｓ２からウォブルエンベロープ信号Ｓ３を求めて制御部１２３に出力する。
【００２４】
また、制御部１２５は、レンズシフト回路１２０の制御信号Ｓ４によって、駆動回路１２２前段の入力スイッチを切り替えてトラッキング駆動回路１２２を駆動させ、対物レンズ１０２をトラックの半径方向に対して内周側から外周側又は外周側から内周側にシフトさせる。これは、対物レンズ１０２により集光されるビームスポットがトラックに対して相対的に外周側へ移動するか内周側へ移動するかにより、トラッキングエラー信号Ｓ１の極性とウォブルエンベロープ信号Ｓ３の極性が反転するので、この極性を確定させる必要があり、対物レンズ１０２の移動方向、すなわちビームスポットの移動方向（レンズシフト）を決める必要がある。
【００２５】
制御部１２５は、トラッキング検出部１１８から出力されるトラッキングエラー信号Ｓ１の極性と、ウォブルエンベロープ部１１７からのウォブルエンベロープ信号Ｓ３の極性から光ディスク１０１がイングルーブ記録タイプであるかオングルーブ記録タイプであるか判定し、トラッキング極性回路１１９に判定結果に応じた制御信号を出力する。なお、イングルーブ記録タイプとは、トラックの溝であるグルーブがレーザ光の入射側からみて凹状に形成されている光ディスク１０１であり、オングルーブ記録タイプとは、トラックの溝であるグルーブがレーザ光の入射側からみて凸状に形成されている光ディスク１０１である。
【００２６】
トラッキング極性回路１１９は、制御部１２５から入力される制御信号に応じて、トラッキングエラー信号Ｓ１をそのままトラッキング極性信号Ｓ５として通過させるか、正負の極性を反転したトラッキング極性信号Ｓ５をトラッキング制御回路１２１に出力する。具体的には、光ディスク１０１がオングルーブ記録タイプである場合には、トラッキングエラー信号Ｓ１をそのままトラッキング極性信号Ｓ５とし、イングルーブ記録タイプである場合には、トラッキングエラー信号Ｓ１の正負の極性を反転させてトラッキング極性信号Ｓ５とする。トラッキング極性信号Ｓ５は、いわゆるプッシュプル信号であり、光ディスク１０１の情報記録層１０１ａに集光されたビームスポットと、情報トラックとのトラッキング誤差量に対応している。
【００２７】
次に、制御部１２５は、制御信号をトラバース駆動回路１２４に入力して、トラバース駆動回路１２４はトラバース１２３にあるトラバースモータを駆動して、制御情報領域や情報記録領域へ光ヘッド１０４を移動させる。
光ヘッド１０４の移動が終了すると、トラッキング制御回路１２１は、入力されるトラッキング極性信号Ｓ５の極性に応じて、トラッキング駆動回路１２２にトラッキング制御信号を出力する。トラッキング駆動回路１２２は、このトラッキング制御信号に応じて、アクチュエータ１０３に駆動電流を出力し、対物レンズ１０２の位置を情報トラックが横切る方向に移動させる。これにより、対物レンズ１０２により集光されたビームスポットは情報トラック上で正しく位置決めされる。一方、加算アンプ１１３は、光検出器１０９から入力される検出信号ＳＡ，ＳＢを足し合わせて和信号（ＳＡ＋ＳＢ）として再生信号検出部１１４へ出力する。
【００２８】
ビームスポットが情報トラック上に正しく位置決めされると、ウォブル検出部１１６は、差動アンプ１１５から出力される差信号をアドレス情報等に変換し、制御部１２５に出力する。制御部１２５は、制御情報やアドレス情報を利用して以後の再生動作や記録動作をスムーズに行なうように装置内の各要素を制御する。
【００２９】
その後、再生信号検出部１１４は、入力された和信号から光ディスク１０１の情報記録層１０１ａに記録された情報信号を再生し、復調や誤り訂正等の処理を施してディジタル映像音声データやコンピュータデータとして出力端子を介して外部のスピーカ、ディスプレイ、コンピュータ等の装置に出力する。
【００３０】
［記録動作］
続いて、光ディスク装置１０の記録の動作について説明する。記録時には、最初に、制御部１２５は、制御信号を出力して信号処理回路１１２及び信号処理回路１１２を介してレーザ駆動回路１１１に通知する。信号処理回路１１２は、入力端子（図示せず）を介して外部から入力される映像音楽データやコンピュータデータ等のディジタルデータに誤り訂正符号を追加して、再生同期をとるための変調を施し、変調された記録データとしてレーザ駆動回路１１１に出力する。制御信号によって記録モードに設定されると、レーザ駆動回路１１１は、信号処理回路１１２から入力される記録データに応じて半導体レーザ１０５に印加する駆動電流を変調する。これにより、光ディスク１０１の情報記録層１０１ａ上に照射されるビームスポットが記録信号に応じて強度変化し、情報トラック上に記録マークが形成される。
【００３１】
［判別動作］
次に、光ディスク装置１０が光ディスク１０１がイングルーブ記録であるかオングルーブ記録であるかを判別する方法について説明する。
【００３２】
図３は、レーザ光のビームスポットが情報記録層１０１上でグルーブを横切る方向に移動したときの差信号であるトラッキングエラー信号（ＴＥ信号）Ｓ１と、ウォブル信号Ｓ２と、ウォブルエンベロープ信号Ｓ３と、トラッキングエラー信号Ｓ１を２値化したトラッキングエラー２値化信号（ＴＥ２値化信号）Ｓ１１、ウォブルエンベロープ信号Ｓ３を２値化したウォブル２値化信号Ｓ３１の波形図である。
【００３３】
制御部１２５からの制御信号によってアクチュエータ１０３を光ディスク１０１のトラックに対する半径方向で内周側から外周側へレンズシフトさせると、トラッキングエラー信号Ｓ１は、グルーブとグルーブの中間（ランドの中心）でゼロ点となり、グルーブとランドの境界でトラッキングエラー信号Ｓ１の振幅は、最大値または最小値をとる。グルーブの中心でトラッキングエラー信号Ｓ１の傾きが正になるか負になるかは、グルーブがレーザ光の入射側に対して凸状の溝か凹状の溝か、及びレンズシフトの方向が光ディスク１０１の内周方向から外周方向へ移動するか、外周方向から内周方向へ移動するかによって決まる。ここでは、グルーブがレーザ入射側に対して凸状の溝、すなわちオングルーブ記録のとき、かつ、レンズシフトの方向が光ディスク１０１の内周方向から外周方向に移動するときに、ＴＥ信号Ｓ１の傾きが負になるものとする。
【００３４】
一方、ウォブルエンベロープ信号Ｓ３は、ビームスポットがグルーブ上に来るとオングルーブ記録又はイングルーブ記録に関わらず、極大値をとる。これは、ウォブルエンベロープ信号Ｓ３の元信号であるウォブル信号Ｓ２が、オングルーブ記録又はイングルーブ記録に関わらず、グルーブに沿って記録されているためである。そして、グルーブとグルーブの間（ランド）では、内周側のグルーブ信号と外周側のグルーブ信号が異なる信号であるためにウォブル信号はほとんど検出されない。この性質を利用して、ウォブルエンベロープ検出部１１７は、ウォブル信号Ｓ２を整流して平滑化処理（ピーク検波）を行うことで、ウォブルエンベロープ信号Ｓ３を生成する。図３中のウォブルエンベロープ信号Ｓ３は、ウォブルのピーク検波を行った場合の検波を示している。
【００３５】
このように、ＴＥ信号Ｓ１とウォブルエンベロープ信号Ｓ３の関係により、光ディスク１０１がＢＤ−ＲＥやＢＤ−Ｒに用いられているオングルーブ記録（以下、ＨＴＬ（High To Low）という）であるか、ＢＤ−Ｒ  ＬＴＨに用いられているイングルーブ記録であるかを判定できる。本実施例では、対物レンズ１０２をレンズシフトすることにより、ビームスポットを外周方向へ移動させた場合、ＴＥ信号Ｓ１がゼロクロスする傾きが正のとき、すなわちＴＥ２値化信号Ｓ１１の立ち上がり（ＴＥ２値化信号Ｓ１１がＬレベルからＨレベルに変わる）のときに、ウォブルエンベロープ信号Ｓ３の極性が最小値をとるか最大値をとるか、すなわちウォブルエンベロープ２値化信号のＨレベル（Ｈ）又はＬレベル（Ｌ）でオングルーブ記録（ＨＴＬ）であるかイングルーブ記録（ＬＴＨ）であるかを判別する。なお、対物レンズ１０２のレンズシフト量は、１００μｍ程度が望ましい。対物レンズ１０２を１００μｍ程度シフトさせることで、光ディスク１０１に偏心があったとしても、その影響を無視することができる。
【００３６】
［判別処理］
続いて、図３の波形図及び図４に示すフローチャートを用いて、光ディスク装置１０におけるディスク種類の判別処理について説明する。
【００３７】
ディスクの種類を判別するため、光ディスク装置１０は、まず、通常の記録や再生の起動と同様にレーザ光の発光、スピンドルモータの回転，及びフォーカス制御を動作させる（Ｓ０１）。
【００３８】
続いて、レンズシフト回路１２０は、トラッキング駆動回路１２２及びアクチュエータ１０３を介して対物レンズ１０２を光ディスク１０１のトラックの半径方向に対して内周側から外周側へレンズシフトさせる（Ｓ０２）。
【００３９】
制御部１２５は、トラッキング検出部１１８から得られるＴＥ信号Ｓ１を２値化してＴＥ２値化信号Ｓ１１を生成するとともに、ウォブルエンベロープ部１１７からウォブルエンベロープ信号Ｓ３を２値化してウォブルエンベロープ２値化信号Ｓ３１を生成する（Ｓ０３）。
【００４０】
制御部１２５は、生成したＴＥ２値化信号Ｓ１１の立ち上がりＴＥ２値化信号Ｓ１１がＬレベルからＨレベルに変わる）でトリガーをかけ、そのタイミングのウォブルエンベロープ２値化信号Ｓ３１の極性がＬであるかＨであるかを判定する（Ｓ０４）。
【００４１】
ステップＳ０４でウォブルエンベロープ２値化信号Ｓ３１がＬであるとき、制御部１２３は、光ディスク２０の種類はオングルーブ記録（ＨＴＬ）であると判定する（Ｓ０５）。一方、ステップＳ０４でウォブルエンベロープ２値化信号Ｓ３１がＨであるとき、制御部１２５は、光ディスク２０の種類はイングルーブ記録（ＬＴＨ）であると判定する（Ｓ０６）。
【００４２】
ステップＳ０６でイングルーブ記録（ＬＴＨ）と判定した場合、制御部１２５は、トラッキング極性回路１１９より出力されるトラッキング極性信号Ｓ５の極性を反転させる（Ｓ０７）。トラッキング制御回路１２１は、判定された光ディスク１０１の種類に応じた極性、すなわちトラッキング極性信号Ｓ５の極性によりトラッキングを制御する（トラッキングサーボをかける）（Ｓ０８）。すなわち、ステップＳ０７で極性が反転された場合には反転された極性でトラッキングを制御し、ステップＳ０７で極性が反転されていない場合には通常の極性でトラッキング制御をする。
【００４３】
上述した本発明の実施形態に係る光ディスク装置１０では、光ディスク１０１の使用開始時に、トラッキング極性回路１１９がオングルーブ記録であるかイングルーブ記録であるかを判定し、その判定結果に応じてトラッキングの際の極性を選択する。これにより、光ディスク装置１０では、オングルーブ記録の光ディスク装置１０であってもイングルーブ記録の光ディスク装置１０であっても良好な信号品質で情報を記録再生することできる。したがって、スピンコート法で形成した有機色素系記録材料など、イングルーブ記録でしか良好な特性が出ない記録材料を用いた光ディスクを使用することができる。
【００４４】
また、光ディスク１０１の種類の判別は、トラッキングを制御する前に行うことができるため、記録や再生を開始するまでの起動時間を短縮し、光ディスク装置１０の操作性が向上する。すなわち、オングルーブ記録であるかイングルーブ記録であるかの判別のために従来行なっていたトライアンドエラー方式は不要となるため、光ディスク１０１の種類の判別時間が短縮される。
【００４５】
なお、上述の説明では、対物レンズ１０２を外周側へレンズシフトさせるものとして説明したが、ＴＥ２値化信号Ｓ１１の極性が逆になることを考慮して対物レンズ１０２を内周側へレンズシフトする構成としてもよい。また、上述の説明では、ウォブルエンベロープ部１１７は、ウォブルエンベロープをピーク検波したが、ウォブル極性が逆になることを考慮してウォブルエンベロープをボトム検波してもよい。
【００４６】
また上述の説明では、アクチュエータ１０３によって対物レンズ１０２をシフトさせる例について説明したが、トラバース１２３にあるトラバースモータを駆動して、光ヘッド１０４及び対物レンズ１０３を内周側から外周側又は外周側から内周側に移動させることによりビームスポットを移動させてもよく、同じ作用がある。つまり、対物レンズ１０２を光ディスク１０１に対して相対的に、光ディスク１０１の外周側または内周側に移動させればよい。例えば、光ディスク１０１を移動させるようにしてもよい。
【００４７】
このように、対物レンズ１０２を光ディスク１０１に対して相対的に、光ディスク１０１の外周側または内周側に移動させるレンズ移動部を有していればよい。レンズ移動部は、例えば、光ディスク１０１を移動させる手段、アクチュエータ１０３、またはトラバース１２３である。
【００４８】
また、発明を実施するための形態において示した各部の具体的な形状及び構造は、何れも本発明を実施する一例を示したものに過ぎず、これらによって本発明の技術的範囲が限定的に解釈されることがあってはならないものである。また、本発明は光ディスク装置の制御部の機能をコンピュータに実現させるためのプログラムを含むものである。
【符号の説明】
【００４９】
１０…光ディスク装置
１０１…光ディスク
１０１ａ…情報記録層
１０２…対物レンズ
１０３…アクチュエータ
１０４…光ヘッド
１０５…半導体レーザ
１０６…コリメートレンズ
１０７…ハーフミラー
１０８…収束レンズ
１０９…光検出器
１１１…レーザ駆動回路
１１２…信号処理回路
１１３…加算アンプ
１１４…再生信号処理回路
１１５…差動アンプ
１１６…ウォブル検出部
１１７…ウォブルエンベロープ部
１１８…トラッキング検出部
１１９…トラッキング極性回路
１２０…レンズシフト回路
１２１…トラッキング制御回路
１２２…トラッキング駆動回路
１２３…トラバース
１２４…トラバース駆動回路
１２５…制御部
【図１】
2011187147.tif 000003
【図２】
2011187147.tif 000004
【図３】
2011187147.tif 000005
【図４】
2011187147.tif 000006